(57)【要約】【課題】歩行距離に比例して疲労度が増加するに従い、次第に重く大きく感じられるようになってくるリュックザックを、軽く感じさせるだけでなく、快適に歩行を進めることが出来るようにするために、身体に装備しても違和感がなく負担にもならない、軽薄短小で使用方法及び取り扱いが容易で簡便な器具を提供する。【解決手段】一対のＶ状円筒棒弾性体スプリングを設けたリュックザックの底面を乗せる格子状板と、一対のＶ状円筒棒弾性体スプリング支持具を設けた身体腰部に挟み掛ける板を連結することによって、９０度（プラス２０度以内）の角度に開いた状態を形成することで解決手段とした。【選択図】    図３
2004358156.tif 000002
【特許請求の範囲】
【請求項１】
リュックザックの底面を乗せる格子状板（１）と身体腰部に挟み掛ける板（２）の連結部分に、一対のＶ状円筒棒弾性体スプリング（３）を設けたことを特徴とする、腰間差し込み型背負子器具。
【発明の詳細な説明】
【０００１】
【発明の属する技術分野】
この発明は、歩行距離に比例して、疲労度が増加してくるに従い、次第に重く感じるようになってくるリュックザックを、本発明の使用によって軽く感じさせ、快適に歩行を進めることが出来るようにする為の、腰間差し込み型背負子器具に関するものである。
【０００２】
【従来の技術】
従来より、大型の背負子が存在するが、小型では本発明に類似しているものはない。
【０００３】
【発明が解決しようとする課題】
これらには、次のような問題点があった。
（イ）  従来の背負子は枠組みが大きいうえに、直に荷物を乗せる仕組みになっている。
本発明は、これらの欠点を解決するために、
（イ）  軽薄短小化を図り、使用方法が容易、取り扱いが簡便である。
（ロ）  身体に装着しても違和感がなく負担にならない。
以上のような、背負う荷物を軽く感じさせる機構を要求する背負子器具を提供すべく発明されたものである。
【０００４】
【課題を解決するための手段】
一対のＶ状円筒棒弾性体スプリング（３）を設けたリュックザックの底面を乗せる格子状板（１）と、一対のＶ状円筒棒弾性体スプリング支持具（９）を設けた身体腰部に挟み掛ける板（２）を連結する。連結した板同士に設けた弾性体スプリングによって、９０度（プラス２０度以内）の角度に開いた状態を形成する。
本発明は、以上の構成よりなる腰間差し込み型背負子器具である。
【０００５】
【発明の実施の形態】
本発明の実施に当たっては、突起ボタン付きＶ状円筒棒弾性体スプリング式、Ｖ状円筒棒弾性体スプリング式が考えられる。
これらにつき各々の構造を詳しく説明する。
（イ）  突起ボタン付きＶ状円筒棒弾性体スプリング式
図１及び図  ２においてその構成を説明すれば、リュックザックの底面を乗せる格子状板（１）は、一対のＶ状円筒棒弾性体スプリング（３）を設けることによって支えられる。一対のＶ状円筒棒弾性体スプリング（３）を支える一対の突起ボタン付きＶ状円筒棒弾性体スプリング支持具（４）は、身体腰部に挟み掛ける板（２）に連結し、又それぞれ長方形に形成されているリュックザックの底面を乗せる格子状板（１）と身体腰部に挟み掛ける板（２）（両板共縦１００ミリＸ横２００ミリＸ高１０ミリ以内）の、その片側長辺同士を連結する。一対の突起ボタン付きＶ状円筒棒弾性体スプリング支持具（４）にネジ（１１）止めして連結した連結板（８）に、身体腰部に挟み掛ける板（２）をネジ（１１）止めして連結する。Ｖ状円筒棒弾性体スプリング（３）を設けたリュックザックの底面を乗せる格子状板（１）と、突起ボタン付きＶ状円筒棒弾性体スプリング支持具（４）にネジ（１１）止めした身体腰部に挟み掛ける板（２）の、両板同士が連結することによって図  ５のように、折り畳み状態にする。
本発明は以上のような構造で、これを使用する時は、例えば図３において、リュックザックの底面を乗せる格子状板（１）を、９０度（プラス２０度以内）の角度に開いた状態にしてリュックザックの底面を乗せ、身体腰部に挟み掛ける板（２）を身体腰部に装着する。９０度（プラス２０度以内）の角度に開いたリュックザックの底面を乗せる格子状板（１）の保持は、リュックザックの底面を乗せる格子状板側のＶ状円筒棒弾性体スプリング（３）と、突起ボタン付きＶ状円筒棒弾性体スプリング支持具（４）のスプリング付き突起ボタン（５）が起動し維持する。本発明を使用しない時は、９０度（プラス２０度以内）の角度に開いたリュックザックの底面を乗せる格子状板（１）を戻し、折り畳み状態にする。例えば図３において、スプリング付き突起ボタン停止装置（６）よりスプリング付き突起ボタン（５）を解除することによって、図５のようにリュックザックの底面を乗せる格子状板（１）を９０度（プラス２０度以内）の角度に閉じて、巻線状スプリング（７）により、身体腰部に挟み掛ける板（２）と合わせ収納する。その再生は、リュックザックの底面を乗せる格子状板（１）を９０度（プラス２０度以内）の角度に戻す時に、突起ボタン付きＶ状円筒棒弾性体スプリング支持具（４）のスプリング付き突起ボタン停止装置（６）にスプリング付き突起ボタン（５）を再稼働して、解放状態のリュックザックの底面を乗せる格子状板（１）を保持し、リュックザックを乗せる。
Ｖ状円筒棒弾性体スプリング、突起ボタン付きＶ状円筒棒弾性体スプリング支持具、スプリング付き突起ボタン、スプリング付き突起ボタン停止装置、支持具軸カバー、巻線状スプリング、ネジ、丸棒、リュックザックを乗せる格子状板、身体腰部に挟み掛ける板及び連結板は、アルミ板、アルミ棒、弾性体鋼鉄、硬軟質合成樹脂、合成繊維、合成ゴムの材質を用いるのが最も望ましい。
（ロ）  Ｖ状円筒棒弾性体スプリング式
図６及び図  ７においてその構成を説明すれば、リュックザックの底面を乗せる格子状板（１）は、一対のＶ状円筒棒弾性体スプリング（３）を設けることによって支えられる。一対のＶ状円筒棒弾性体スプリング（３）を支える一対のＶ状円筒棒弾性体スプリング支持具（９）は、身体腰部に挟み掛ける板（２）に連結し、又それぞれ長方形に形成されているリュックザックの底面を乗せる格子状板（１）と身体腰部に挟み掛ける板（２）（両板共縦１００ミリＸ横２００ミリＸ高１０ミリ以内）の、その片側長辺同士を連結する。一対のＶ状円筒棒弾性体スプリング支持具（９）にネジ（１１）止めして連結した連結板（８）に、身体腰部に挟み掛ける板（２）をネジ（１１）止めして連結する。Ｖ状円筒棒弾性体スプリング（３）を設けたリュックザックの底面を乗せる格子状板（１）と、Ｖ状円筒棒弾性体スプリング支持具（９）にネジ（１１）止めした身体腰部に挟み掛ける板（２）の、両板同士が連結することによって、図１０のように、折り畳み状態にする。
本発明は以上のような構造で、これを使用する時は、例えば図８において、リュックザックの底面を乗せる格子状板（１）を、９０度（プラス２０度以内）の角度に開いた状態にしてリュックザックの底面を乗せ、身体腰部に挟み掛ける板（２）を身体腰部に装着する。９０度（プラス２０度以内）の角度に開いたリュックザックの底面を乗せる格子状板（１）の保持は、リュックザックの底面を乗せる格子状板側のＶ状円筒棒弾性体スプリング（３）と、Ｖ状円筒棒弾性体スプリング支持具（９）によって維持する。本発明を使用しない時は、９０度（プラス２０度以内）の角度に開いたリュックザックの底面を乗せる格子状板（１）を戻し、折り畳み状態にする。例えば図８において、Ｖ状円筒棒弾性体スプリング停止装置（１０）を解除することによって、図１０のように、リュックザックの底面を乗せる格子状板（１）を９０度（プラス２０度以内）の角度に閉じて、身体腰部に挟み掛ける板（２）と合わせ収納する。その再生は、リュックザックの底面を乗せる格子状板（１）を９０度（プラス２０度以内）の角度に戻す時に、Ｖ状円筒棒弾性体スプリング支持具（９）のＶ状円筒棒弾性体スプリング停止装置（１０）が再稼働して、Ｖ状円筒棒弾性体スプリング（３）を解放状態にし、リュックザックの底面を乗せる格子状板（１）を保持して、リュックザックを乗せる。
Ｖ状円筒棒弾性体スプリング、Ｖ状円筒棒弾性体スプリング支持具、Ｖ状円筒棒弾性体スプリング停止装置、丸棒、ネジ、リュックザックの底面を乗せる格子状板、身体腰部に挟み掛ける板及び連結板は、アルミ板、アルミ棒、弾性体鋼鉄、硬軟質合成樹脂、合成繊維、合成ゴムの材質を用いるのが最も望ましい。
【０００６】
【発明の効果】
本発明の効果は、身体に装着していても違和感がなく負担と感じないほどに軽薄短小で且つ使用方法や取り扱いが容易で簡便なので、歩行距離に比例してショルダーストラップが肩に食い込み、次第に前屈みの姿勢になって重く感じるリュックザックを、本発明を使用することで軽く感じさせることが最大の効果である。
【図面の簡単な説明】
【図  １】本発明の正面図
【図  ２】本発明の平面図
【図  ３】本発明の左側面図
【図  ４】本発明の図１の閉じた状態を示す図。
【図  ５】本発明の図３の閉じた状態を示す図。
【図  ６】本発明の他の実施例を示す正面図。
【図  ７】本発明の他の実施例を示す平面図。
【図  ８】本発明の他の実施例を示す左側面図。
【図  ９】本発明の図６の閉じた状態を示す図。
【図１０】本発明の図８の閉じた状態を示す図。
【図１１】本発明の装着時の状態を示す図。
【符号の説明】
１      リュックザックの底面を乗せる格子状板
２      身体腰部に挟み掛ける板
３      Ｖ状円筒棒弾性体スプリング
４      突起ボタン付きＶ状円筒棒弾性体スプリング支持具
５      スプリング付き突起ボタン
６      スプリング付き突起ボタン停止装置
７      巻線状スプリング
８      連結板
９      Ｖ状円筒棒弾性体スプリング支持具
１０      Ｖ状円筒棒弾性体スプリング停止装置
１１      ネジ
１２      丸棒
１３      支持具軸カバー
１４      ホール
１５      Ｖ状円筒棒弾性体スプリング誘導路
【図１】
2004358156.tif 000003
【図２】
2004358156.tif 000004
【図３】
2004358156.tif 000005
【図４】
2004358156.tif 000006
【図５】
2004358156.tif 000007
【図６】
2004358156.tif 000008
【図７】
2004358156.tif 000009
【図８】
2004358156.tif 000010
【図９】
2004358156.tif 000011
【図１０】
2004358156.tif 000012
【図１１】
2004358156.tif 000013